(57)【要約】【課題】放電プラグ及び充電プラグを用いて放電経路及び充電経路が切り替えられる電池パックにおいて、電流経路に放熱機構や放熱構造を持たさずに複数の二次電池を急速充電できるようにする。【解決手段】電池パック１１は、第１及び第２の電池Ｂ１、Ｂ２と、第１及び第２の電池Ｂ１、Ｂ２の対応する極に夫々接続された第１〜第４の電池接続端子ＴＢ１〜ＴＢ４と、負荷に接続された夫々の極の第１及び第２の負荷接続端子ＴＬ１、ＴＬ２とを含み、第１及び第２の電池Ｂ１、Ｂ２が負荷１４に放電する場合には、並列接続された第１及び第２の電池Ｂ１、Ｂ２に負荷１４が接続され、第１及び第２の電池Ｂ１、Ｂ２が充電される場合には、第１及び第２の電池Ｂ１、Ｂ２が直列接続され、第１及び第２の負荷接続端子ＴＬ１、ＴＬ２が同電位になるように、第１〜第４の電池接続端子ＴＢ１〜ＴＢ４並びに第１及び第２の負荷接続端子ＴＬ１、ＴＬ２の接続関係が変更される。【選択図】図１
2018037392.tif 000002
【特許請求の範囲】
【請求項１】
第１の電池及び第２の電池と、
前記第１の電池の一方の極に接続された第１の電池接続端子と、
前記第１の電池の他方の極に接続された第２の電池接続端子と、
前記第２の電池の一方の極に接続された第３の電池接続端子と、
前記第２の電池の他方の極に接続された第４の電池接続端子と、
負荷に接続された、一方の極の第１の負荷接続端子と他方の極の第２の負荷接続端子と
を含み、
前記第１の電池及び前記第２の電池が前記負荷に放電する場合には、前記第１の電池及び前記第２の電池が並列接続され、並列接続された前記第１の電池及び前記第２の電池に前記負荷が接続されるように、前記第１〜前記第４の電池接続端子並びに前記第１及び前記第２の負荷接続端子の接続関係が変更され、
前記第１の電池及び前記第２の電池が充電される場合には、前記第１の電池及び前記第２の電池が直列接続され、前記第１の負荷接続端子と前記第２の負荷接続端子とが同電位になるように、前記第１〜前記第４の電池接続端子並びに前記第１及び前記第２の負荷接続端子の接続関係が変更される
電池パック。
【請求項２】
請求項１に記載の電池パックであって、
前記第２の電池接続端子は前記第２の負荷接続端子を兼ね備え、前記第１の電池の前記他方の極と前記負荷とに接続され、
前記第３の電池接続端子は前記第１の負荷接続端子を兼ね備え、前記第２の電池の前記一方の極と前記負荷とに接続され、
前記第１の電池及び前記第２の電池が前記負荷に放電する場合には、前記第１の電池接続端子と前記第３の電池接続端子とが接続され、前記第２の電池接続端子と前記第４の電池接続端子とが接続され、
前記第１の電池及び前記第２の電池が充電される場合には、前記第１の電池接続端子は充電器側の一方の極の接続端子に接続され、前記第４の電池接続端子は前記充電器側の他方の極の接続端子に接続され、前記第２の電池接続端子と前記第３の電池接続端子とが接続される
電池パック。
【請求項３】
請求項１に記載の電池パックであって、
前記第１の電池及び前記第２の電池が前記負荷に放電する場合には、前記第１の電池接続端子と前記第３の電池接続端子と前記第１の負荷接続端子とが接続され、前記第２の電池接続端子と前記第４の電池接続端子と前記第２の負荷接続端子とが接続され、
前記第１の電池及び前記第２の電池が充電される場合には、前記第１の電池接続端子は充電器側の一方の極の接続端子に接続され、前記第４の電池接続端子は前記充電器側の他方の極の接続端子に接続され、前記第２の電池接続端子と前記第３の電池接続端子とが接続され、前記第１の負荷接続端子及び前記第２の負荷接続端子は開放される
電池パック。
【請求項４】
請求項１に記載の電池パックであって、
前記第４の電池接続端子は前記第２の負荷接続端子を兼ね備え、前記第２の電池の前記他方の極と前記負荷とに接続され、
前記第１の電池及び前記第２の電池が前記負荷に放電する場合には、前記第１の電池接続端子と前記第３の電池接続端子と前記第１の負荷接続端子とが接続され、前記第２の電池接続端子と前記第４の電池接続端子とが接続され、
前記第１の電池及び前記第２の電池が充電される場合には、前記第１の電池接続端子は充電器側の一方の極の接続端子に接続され、前記第４の電池接続端子は前記充電器側の他方の極の接続端子に接続され、前記第２の電池接続端子と前記第３の電池接続端子とが接続され、前記第１の負荷接続端子は開放される
電池パック。
【請求項５】
請求項１〜４の何れか一項に記載の電池パックであって、
前記第１の電池の前記他方の極に一端が接続され、前記第２の電池の前記一方の極に他端が接続された直並列切り替えスイッチを更に含み、
前記第１の電池及び前記第２の電池が前記負荷に放電する場合には、前記直並列切り替えスイッチは開き、
前記第１の電池及び前記第２の電池が充電される場合には、前記直並列切り替えスイッチは閉じる
電池パック。
【請求項６】
請求項１〜４の何れか一項に記載の電池パックであって、
前記第１の電池の前記他方の極に一端が接続され、前記第２の電池の前記一方の極に他端が接続された直並列切り替えスイッチを更に含み、
前記第１の電池接続端子に接続される一方の極の充電プラグ端子と、前記第４の電池接続端子に接続される他方の極の充電プラグ端子とを含む充電プラグと前記電池パックとの接続が検知される場合には、前記直並列切り替えスイッチは閉じ、
前記充電プラグと前記電池パックとの接続が検知されない場合には、前記直並列切り替えスイッチは開く
電池パック。
【請求項７】
請求項１〜６の何れか一項に記載の電池パックであって、
前記第１の電池の前記一方の極と前記第１の電池接続端子との間の電力線、又は前記第１の電池の前記他方の極と前記第２の電池接続端子との間の電力線に設けられた第１のスイッチと、
前記第２の電池の前記一方の極と前記第３の電池接続端子との間の電力線、又は前記第２の電池の前記他方の極と前記第４の電池接続端子との間の電力線に設けられた第２のスイッチと
を更に含み、
前記第１の電池接続端子と前記第３の電池接続端子とを接続し、前記第２の電池接続端子と前記第４の電池接続端子とを接続する放電プラグと前記電池パックとの接続が検知されると、前記第１のスイッチ及び前記第２のスイッチは閉じ、
前記放電プラグと前記電池パックとの接続が検知されなくなると、前記第１のスイッチ及び前記第２のスイッチは開く
電池パック。
【請求項８】
請求項１〜７の何れか一項に記載の電池パックであって、
前記第１の電池及び前記第２の電池は、直列及び／又は並列接続された複数の電池セルを夫々含む
電池パック。
【請求項９】
請求項２に記載の電池パックに接続される放電プラグであって、
前記第１の電池接続端子に接続される第１の放電プラグ端子と、
前記第２の電池接続端子に接続される第２の放電プラグ端子と、
前記第３の電池接続端子に接続される第３の放電プラグ端子と、
前記第４の電池接続端子に接続される第４の放電プラグ端子と、
前記第１の放電プラグ端子と前記第３の放電プラグ端子とを接続する第１のジャンパ線と、
前記第２の放電プラグ端子と前記第４の放電プラグ端子とを接続する第２のジャンパ線と
を含む放電プラグ。
【請求項１０】
請求項３に記載の電池パックに接続される放電プラグであって、
前記第１の電池接続端子に接続される第１の放電プラグ端子と、
前記第２の電池接続端子に接続される第２の放電プラグ端子と、
前記第３の電池接続端子に接続される第３の放電プラグ端子と、
前記第４の電池接続端子に接続される第４の放電プラグ端子と、
前記第１の負荷接続端子に接続される第５の放電プラグ端子と、
前記第２の負荷接続端子に接続される第６の放電プラグ端子と、
前記第１の放電プラグ端子と前記第３の放電プラグ端子と前記第５の放電プラグ端子とを接続する第１のジャンパ線と、
前記第２の放電プラグ端子と前記第４の放電プラグ端子と前記第６の放電プラグ端子とを接続する第２のジャンパ線と
を含む放電プラグ。
【請求項１１】
請求項４に記載の電池パックに接続される放電プラグであって、
前記第１の電池接続端子に接続される第１の放電プラグ端子と、
前記第２の電池接続端子に接続される第２の放電プラグ端子と、
前記第３の電池接続端子に接続される第３の放電プラグ端子と、
前記第４の電池接続端子に接続される第４の放電プラグ端子と、
前記第１の負荷接続端子に接続される第５の放電プラグ端子と、
前記第１の放電プラグ端子と前記第３の放電プラグ端子と前記第５の放電プラグ端子とを接続する第１のジャンパ線と、
前記第２の放電プラグ端子と前記第４の放電プラグ端子とを接続する第２のジャンパ線と
を含む放電プラグ。
【発明の詳細な説明】
【技術分野】
【０００１】
本発明は、電池パック及び放電プラグに関する。
【背景技術】
【０００２】
負荷と共に装置に搭載され、電池パック内の二次電池から負荷への放電経路と、充電器から該二次電池への充電経路とが放電プラグ及び充電プラグを用いて切り替えられる電池パックがある。こうした充電パックには、負荷への放電可能時間を長くするために、並列接続された複数の二次電池が含まれ得る。
【０００３】
なお、関連する技術として、特許文献１に記載の技術が知られている。
【先行技術文献】
【特許文献】
【０００４】
【特許文献１】特開昭６４−２４３７０号公報
【発明の概要】
【発明が解決しようとする課題】
【０００５】
しかしながら、上述したような電池パックにおいて、並列接続された複数の二次電池を急速充電するためには、充電器から複数の二次電池への充電経路（具体的には、並列接続された各二次電池に供給される電流が合流する充電経路）に大電流を流す必要がある。この結果、充電経路となる電流経路（例えば、ケーブルやバスバー等）には、充電時の大電流に対応するための放熱機構や放熱構造を持たす必要が生じ、電池パックの体格や製造コストが増加する。
【０００６】
本発明の一側面に係る目的は、放電プラグ及び充電プラグを用いて放電経路及び充電経路が切り替えられる電池パックにおいて、電流経路に放熱機構や放熱構造を持たさずに複数の二次電池を急速充電できるようにすることである。
【課題を解決するための手段】
【０００７】
本発明に係る一つの形態である電池パックは、第１の電池、第２の電池、第１の電池接続端子、第２の電池接続端子、第３の電池接続端子、第４の電池接続端子、第１の負荷接続端子、及び第２の負荷接続端子を含む。第１の電池接続端子は第１の電池の一方の極に接続され、第２の電池接続端子は第１の電池の他方の極に接続される。また、第３の電池接続端子は第２の電池の一方の極に接続され、第４の電池接続端子は第２の電池の他方の極に接続される。第１の負荷接続端子は負荷に接続された一方の極の接続端子であり、第２の負荷接続端子は負荷に接続された他方の極の接続端子である。
【０００８】
第１の電池及び第２の電池が負荷に放電する場合には、第１の電池及び第２の電池が並列接続され、並列接続された第１の電池及び第２の電池に負荷が接続されるように、第１〜第４の電池接続端子並びに第１及び第２の負荷接続端子の接続関係が変更される。また、第１の電池及び第２の電池が充電される場合には、第１の電池及び第２の電池が直列接続され、第１の負荷接続端子と第２の負荷接続端子とが同電位になるように、第１〜第４の電池接続端子並びに第１及び第２の負荷接続端子の接続関係が変更される。
【発明の効果】
【０００９】
一実施形態に従った電池パックによれば、電流経路に放熱機構や放熱構造を持たさずに複数の二次電池を急速充電できる。
【図面の簡単な説明】
【００１０】
【図１】実施形態に従った電池パック及び放電プラグを含む充放電システムの第１の構成例を示す図である。
【図２】実施形態に従った電池パック及び放電プラグを含む充放電システムの第２の構成例を示す図である。
【図３】実施形態に従った電池パック及び放電プラグを含む充放電システムの第３の構成例を示す図である。
【図４】実施形態に従った電池パック及び放電プラグを含む充放電システムの第４の構成例を示す図である。
【図５】実施形態に従った電池パック及び放電プラグを含む充放電システムの第５の構成例を示す図である。
【図６】第５の構成例における電池パック及び放電プラグの各端子の接続順序の説明図である。
【図７】実施形態に従った電池パック及び放電プラグを含む充放電システムの第６の構成例を示す図である。
【図８】実施形態に従った電池パック及び放電プラグを含む充放電システムの第７の構成例を示す図である。
【発明を実施するための形態】
【００１１】
以下図面に基づいて実施形態について詳細を説明する。
＜第１の構成例＞
図１は、実施形態に従った電池パック及び放電プラグを含む充放電システムの第１の構成例を示す図である。図１に示すように、充放電システム１は、電池パック１１、放電プラグ１２、充電プラグ１３、負荷１４、及び充電器１５を含む。
【００１２】
電池パック１１は、負荷１４と共に任意の装置（不図示）に搭載される。電池パック１１及び負荷１４が搭載される装置は、車両（例えば、電気自動車、ハイブリット自動車、又は電動フォークリフト等）であってもよく、負荷１４は、モータジェネレータやＤＣ／ＤＣ（Direct Current/Direct Current）コンバータであってもよい。
【００１３】
電池パック１１は、第１の電池Ｂ１及び第２の電池Ｂ２を含む。また、電池パック１１は、第１の電池接続端子ＴＢ１、第２の電池接続端子ＴＢ２、第３の電池接続端子ＴＢ３、及び第４の電池接続端子ＴＢ４を含む。さらに、電池パック１１は、第１の負荷接続端子ＴＬ１及び第２の負荷接続端子ＴＬ２を含む。
【００１４】
第１の電池Ｂ１及び第２の電池Ｂ２は夫々、例えば、リチウムイオン電池又は鉛蓄電池といった１つ以上の二次電池セルである。
第１の電池接続端子ＴＢ１は、第１の電池Ｂ１の一方の極（図１では、正極端子）に接続されている。第２の電池接続端子ＴＢ２は、第１の電池Ｂ１の他方の極（図１では、負極端子）に接続されている。第３の電池接続端子ＴＢ３は、第２の電池Ｂ２の一方の極（図１では、正極端子）に接続されている。第４の電池接続端子ＴＢ４は、第２の電池Ｂ２の他方の極（図１では、負極端子）に接続されている。
【００１５】
第１の負荷接続端子ＴＬ１は、負荷１４に接続された一方の極（例えば、正極）の接続端子である。第２の負荷接続端子ＴＬ２は、負荷１４に接続された他方の極（例えば、負極）の接続端子である。また、図２に示す第２の構成例や図３に示す第３の構成例との比較からも理解できるように、図１に示す第１の構成例では、第２の電池接続端子ＴＢ２は第２の負荷接続端子ＴＬ２を兼ね備え、第３の電池接続端子ＴＢ３は第１の負荷接続端子ＴＬ１を兼ね備える。このため、第２の電池接続端子ＴＢ２は、第１の電池Ｂ１の他方の極と負荷１４とに接続されている。また、第３の電池接続端子ＴＢ３は、第２の電池Ｂ２の一方の極と負荷１４とに接続されている。
【００１６】
次に、放電プラグ１２は、第１の放電プラグ端子ＴＤＣ１、第２の放電プラグ端子ＴＤＣ２、第３の放電プラグ端子ＴＤＣ３、及び第４の放電プラグ端子ＴＤＣ４を含む。また、放電プラグ１２は、第１のジャンパ線Ｊ１及び第２のジャンパ線Ｊ２を含む。
【００１７】
放電プラグ１２が電池パック１１に接続された場合、第１の放電プラグ端子ＴＤＣ１は第１の電池接続端子ＴＢ１に接続され、第２の放電プラグ端子ＴＤＣ２は第２の電池接続端子ＴＢ２に接続される。また、第３の放電プラグ端子ＴＤＣ３は第３の電池接続端子ＴＢ３に接続され、第４の放電プラグ端子ＴＤＣ４は第４の電池接続端子ＴＢ４に接続される。
【００１８】
第１のジャンパ線Ｊ１は、第１の放電プラグ端子ＴＤＣ１と第３の放電プラグ端子ＴＤＣ３とを接続する。第２のジャンパ線Ｊ２は、第２の放電プラグ端子ＴＤＣ２と第４の放電プラグ端子ＴＤＣ４とを接続する。
【００１９】
次に、充電プラグ１３は、第１の充電プラグ端子ＴＣ１、第２の充電プラグ端子ＴＣ２、第３の充電プラグ端子ＴＣ３、及び第４の充電プラグ端子ＴＣ４を含む。第１の充電プラグ端子ＴＣ１は、充電器１５側の一方の極（図１では正極）の接続端子であり、第４の充電プラグ端子ＴＣ４は、充電器１５側の他方の極（図１では負極）の接続端子である。また、充電プラグ１３は、第３のジャンパ線Ｊ３を含む。
【００２０】
充電プラグ１３が電池パック１１に接続された場合、第１の充電プラグ端子ＴＣ１は第１の電池接続端子ＴＢ１に接続され、第２の充電プラグ端子ＴＣ２は第２の電池接続端子ＴＢ２に接続される。また、第３の充電プラグ端子ＴＣ３は第３の電池接続端子ＴＢ３に接続され、第４の充電プラグ端子ＴＣ４は第４の電池接続端子ＴＢ４に接続される。
【００２１】
第３のジャンパ線Ｊ３は、第２の充電プラグ端子ＴＣ２と第３の充電プラグ端子ＴＣ３とを接続する。
上述したような充放電システム１において、第１の電池Ｂ１及び第２の電池Ｂ２から負荷１４への放電経路と、充電器１５から第１の電池Ｂ１及び第２の電池Ｂ２への充電経路とは、放電プラグ１２及び充電プラグ１３を用いて切り替えられる。
【００２２】
具体的には、図１（Ａ）に示すように、放電プラグ１２が電池パック１１に接続されると、第１の電池Ｂ１及び第２の電池Ｂ２は並列接続される。すなわち、第１の電池Ｂ１及び第２の電池Ｂ２の夫々の一方の極（図１では正極）は、第１の電池接続端子ＴＢ１、第１の放電プラグ端子ＴＤＣ１、第１のジャンパ線Ｊ１、第３の放電プラグ端子ＴＤＣ３、及び第３の電池接続端子ＴＢ３を介して相互に接続される。また、第１の電池Ｂ１及び第２の電池Ｂ２の夫々の他方の極（図１では負極）は、第２の電池接続端子ＴＢ２、第２の放電プラグ端子ＴＤＣ２、第２のジャンパ線Ｊ２、第４の放電プラグ端子ＴＤＣ４、及び第４の電池接続端子ＴＢ４を介して相互に接続される。
【００２３】
そして、並列接続された第１の電池Ｂ１及び第２の電池Ｂ２から負荷１４への次のような放電経路が形成される。すなわち、第１の電池Ｂ１の一方の極（図１では正極）→第１の電池接続端子ＴＢ１→第１の放電プラグ端子ＴＤＣ１→第１のジャンパ線Ｊ１→第３の放電プラグ端子ＴＤＣ３→第３の電池接続端子ＴＢ３→負荷１４→第１の電池Ｂ１の他方の極（図１では負極）という充電経路が形成される。また、第２の電池Ｂ２の一方の極（図１では正極）→負荷１４→第２の電池接続端子ＴＢ２→第２の放電プラグ端子ＴＤＣ２→第２のジャンパ線Ｊ２→第４の放電プラグ端子ＴＤＣ４→第４の電池接続端子ＴＢ４→第２の電池Ｂ２の他方の極（図１では負極）という充電経路が形成される。
【００２４】
一方、図１（Ｂ）に示すように、充電プラグ１３が電池パック１１に接続されると、第１の電池Ｂ１及び第２の電池Ｂ２は直列接続される。すなわち、第１の電池Ｂ１の他方の極（図１では負極）と第２の電池Ｂ２の一方の極（図１では正極）とは、第２の電池接続端子ＴＢ２、第２の充電プラグ端子ＴＣ２、第３のジャンパ線Ｊ３、第３の充電プラグ端子ＴＣ３、及び第３の電池接続端子ＴＢ３を介して相互に接続される。
【００２５】
また、第２の負荷接続端子ＴＬ２を兼ね備える第２の電池接続端子ＴＢ２と、第１の負荷接続端子ＴＬ１を兼ね備える第３の電池接続端子ＴＢ３とは、第２の充電プラグ端子ＴＣ２、第３のジャンパ線Ｊ３、及び第３の充電プラグ端子ＴＣ３を介して相互に接続される。このため、第１の負荷接続端子ＴＬ１と第２の負荷接続端子ＴＬ２とは同電位になる。
【００２６】
そして、充電器１５から、直列接続された第１の電池Ｂ１及び第２の電池Ｂ２への次のような充電経路が形成される。すなわち、充電器１５→第１の充電プラグ端子ＴＣ１→第１の電池接続端子ＴＢ１→第１の電池Ｂ１の一方の極（図１では正極）という充電経路が形成される。また、第１の電池Ｂ１の他方の極（図１では負極）→第２の電池接続端子ＴＢ２→第２の充電プラグ端子ＴＣ２→第３のジャンパ線Ｊ３→第３の充電プラグ端子ＴＣ３→第３の電池接続端子ＴＢ３→第２の電池Ｂ２の一方の極（図１では正極）という充電経路が形成される。さらに、第２の電池Ｂ２の他方の極（図１では負極）→第４の電池接続端子ＴＢ４→第４の充電プラグ端子ＴＣ４→充電器１５という充電経路が形成される。
【００２７】
このように、第１の電池Ｂ１及び第２の電池Ｂ２が負荷１４に放電する場合には、放電プラグ１２が電池パック１１に接続される。この結果、第１の電池Ｂ１及び第２の電池Ｂ２が並列接続され、並列接続された第１の電池Ｂ１及び第２の電池Ｂ２に負荷１４が接続されるように、第１〜第４の電池接続端子ＴＢ１〜ＴＢ４並びに第１及び第２の負荷接続端子ＴＬ１、ＴＬ２の接続関係は変更される。
【００２８】
第１の電池Ｂ１及び第２の電池Ｂ２が放電時において並列接続されるため、負荷１４に単一の電池が接続される場合と比較して長時間に渡って所望電圧を負荷１４に供給できる。
【００２９】
一方、第１の電池Ｂ１及び第２の電池Ｂ２が充電される場合には、充電プラグ１３が電池パック１１に接続される。この結果、第１の電池Ｂ１及び第２の電池Ｂ２が直列接続され、第１の負荷接続端子ＴＬ１と第２の負荷接続端子ＴＬ２とが同電位になるように、第１〜第４の電池接続端子ＴＢ１〜ＴＢ４並びに第１及び第２の負荷接続端子ＴＬ１、ＴＬ２の接続関係は変更される。
【００３０】
第１の負荷接続端子ＴＬ１と第２の負荷接続端子ＴＬ２とが充電時において同電位になるため、充電時には、第１の電池Ｂ１及び第２の電池Ｂ２から負荷１４に放電されない。したがって、実施形態に従った充放電システムによれば、二次電池の充電中に二次電池から供給された電力により負荷が作動することを防止でき、充電時の安全性を確保できる。
【００３１】
また、第１の電池Ｂ１及び第２の電池Ｂ２が充電時において直列接続されるため、第１の電池Ｂ１及び第２の電池Ｂ２が並列接続される場合と比較して小電流を充電経路に流すことで、第１の電池Ｂ１及び第２の電池Ｂ２を急速充電できる。したがって、実施形態に従った充放電システムによれば、電流経路に放熱機構や放熱構造を持たさずに複数の二次電池を急速充電できる。
【００３２】
なお、本発明は、以上の実施の形態に限定されるものでなく、本発明の要旨を逸脱しない範囲内で種々の改良、変更が可能である。
＜第２の構成例＞
例えば、実施形態に従った充放電システムは、図２に示すように構成されてもよい。図２は、実施形態に従った電池パック及び放電プラグを含む充放電システムの第２の構成例を示す図である。図２に示すように、充放電システム２は、電池パック２１、放電プラグ２２、充電プラグ１３、負荷１４、及び充電器１５を含む。電池パック２１は、負荷１４と共に任意の装置（不図示）に搭載される。
【００３３】
図１に示す第１の構成例との比較からも理解できるように、図２に示す第２の構成例では、第２の電池接続端子ＴＢ２と第１の負荷接続端子ＴＬ１とは、相互に別個の端子として電池パック２１に備えられる。また、第３の電池接続端子ＴＢ３と第２の負荷接続端子ＴＬ２とは、相互に別個の端子として電池パック２１に備えられる。
【００３４】
そこで、第１の構成例との違いに応じて、放電プラグ２２は、第５の放電プラグ端子ＴＤＣ５及び第６の放電プラグ端子ＴＤＣ６を更に含む。放電プラグ１２が電池パック１１に接続された場合、第５の放電プラグ端子ＴＤＣ５は第１の負荷接続端子ＴＬ１に接続され、第６の放電プラグ端子ＴＤＣ６は第２の負荷接続端子ＴＬ２に接続される。また、第１のジャンパ線Ｊ１は、第１の放電プラグ端子ＴＤＣ１と第３の放電プラグ端子ＴＤＣ３と第５の放電プラグ端子ＴＤＣ５とを接続するように構成される。第２のジャンパ線Ｊ２は、第２の放電プラグ端子ＴＤＣ２と第４の放電プラグ端子ＴＤＣ４と第６の放電プラグ端子ＴＤＣ６とを接続するように構成される。
【００３５】
充放電システム２において、第１の電池Ｂ１及び第２の電池Ｂ２から負荷１４への放電経路と、充電器１５から第１の電池Ｂ１及び第２の電池Ｂ２への充電経路とは、放電プラグ２２及び充電プラグ１３を用いて切り替えられる。
【００３６】
具体的には、図２（Ａ）に示すように、放電プラグ２２が電池パック２１に接続されると、第１の電池Ｂ１及び第２の電池Ｂ２は、図１を参照しながら前述したように並列接続される。そして、並列接続された第１の電池Ｂ１及び第２の電池Ｂ２から負荷１４への次のような放電経路が形成される。すなわち、第１の電池Ｂ１の一方の極（図１では正極）→第１の電池接続端子ＴＢ１→第１の放電プラグ端子ＴＤＣ１→第１のジャンパ線Ｊ１→第５の放電プラグ端子ＴＤＣ５→第１の負荷接続端子ＴＬ１→負荷１４という充電経路が形成される。そして、負荷１４→第２の負荷接続端子ＴＬ２→第６の放電プラグ端子ＴＤＣ６→第２のジャンパ線Ｊ２→第２の放電プラグ端子ＴＤＣ２→第２の電池接続端子ＴＢ２→第１の電池Ｂ１の他方の極（図１では負極）という充電経路が形成される。また、第２の電池Ｂ２の一方の極（図１では正極）→第３の電池接続端子ＴＢ３→第３の放電プラグ端子ＴＤＣ３→第１のジャンパ線Ｊ１→第５の放電プラグ端子ＴＤＣ５→第１の負荷接続端子ＴＬ１→負荷１４という充電経路が形成される。そして、負荷１４→第２の負荷接続端子ＴＬ２→第６の放電プラグ端子ＴＤＣ６→第２のジャンパ線Ｊ２→第４の放電プラグ端子ＴＤＣ４→第４の電池接続端子ＴＢ４→第２の電池Ｂ２の他方の極（図１では負極）という充電経路が形成される。
【００３７】
一方、図２（Ｂ）に示すように、充電プラグ１３が電池パック２１に接続されると、第１の電池Ｂ１及び第２の電池Ｂ２は、図１を参照しながら前述したように直列接続される。そして、図１を参照しながら前述したように、充電器１５から、直列接続された第１の電池Ｂ１及び第２の電池Ｂ２への充電経路が形成される。
【００３８】
また、第１の負荷接続端子ＴＬ１と第２の負荷接続端子ＴＬ２とは、充電プラグ１３の何れの端子にも接続されず、開放される。このため、第１の負荷接続端子ＴＬ１と第２の負荷接続端子ＴＬ２とは同電位になる。
【００３９】
このように、図２に示す第２の構成例においても、第１の電池Ｂ１及び第２の電池Ｂ２が負荷１４に放電する場合には、放電プラグ２２が電池パック２１に接続される。この結果、第１の電池Ｂ１及び第２の電池Ｂ２が並列接続され、並列接続された第１の電池Ｂ１及び第２の電池Ｂ２に負荷１４が接続されるように、第１〜第４の電池接続端子ＴＢ１〜ＴＢ４並びに第１及び第２の負荷接続端子ＴＬ１、ＴＬ２の接続関係は変更される。一方、第１の電池Ｂ１及び第２の電池Ｂ２が充電される場合には、充電プラグ１３が電池パック２１に接続される。この結果、第１の電池Ｂ１及び第２の電池Ｂ２が直列接続され、第１の負荷接続端子ＴＬ１と第２の負荷接続端子ＴＬ２とが同電位になるように、第１〜第４の電池接続端子ＴＢ１〜ＴＢ４並びに第１及び第２の負荷接続端子ＴＬ１、ＴＬ２の接続関係は変更される。
【００４０】
したがって、実施形態に従った充放電システムを図２に示す第２の構成例のように構成した場合にも、図１に示す第１の構成例に関して前述したような効果が得られる。
＜第３の構成例＞
例えば、実施形態に従った充放電システムは、図３に示すように構成されてもよい。図３は、実施形態に従った電池パック及び放電プラグを含む充放電システムの第３の構成例を示す図である。図３に示すように、充放電システム３は、電池パック３１、放電プラグ３２、充電プラグ１３、負荷１４、及び充電器１５を含む。電池パック３１は、負荷１４と共に任意の装置（不図示）に搭載される。
【００４１】
図１に示す第１の構成例との比較からも理解できるように、図３に示す第３の構成例では、第２の電池接続端子ＴＢ２と第１の負荷接続端子ＴＬ１とは、相互に別個の端子として電池パック３１に備えられる。また、図３に示す第３の構成例では、第４の電池接続端子ＴＢ４は、第２の負荷接続端子ＴＬ２を兼ね備え、第２の電池Ｂ２の他方の極と負荷１４とに接続されている。
【００４２】
そこで、第１の構成例との違いに応じて、放電プラグ３２は第５の放電プラグ端子ＴＤＣ５を更に含む。放電プラグ３２が電池パック３１に接続された場合、第５の放電プラグ端子ＴＤＣ５は第１の負荷接続端子ＴＬ１に接続される。また、第１のジャンパ線Ｊ１は、第１の放電プラグ端子ＴＤＣ１と第３の放電プラグ端子ＴＤＣ３と第５の放電プラグ端子ＴＤＣ５とを接続するように構成される。なお、図１に示す構成例と同様に、第２のジャンパ線Ｊ２は、第２の放電プラグ端子ＴＤＣ２と第４の放電プラグ端子ＴＤＣ４とを接続するように構成される。
【００４３】
充放電システム３において、第１の電池Ｂ１及び第２の電池Ｂ２から負荷１４への放電経路と、充電器１５から第１の電池Ｂ１及び第２の電池Ｂ２への充電経路とは、放電プラグ３２及び充電プラグ１３を用いて切り替えられる。
【００４４】
具体的には、図３（Ａ）に示すように、放電プラグ３２が電池パック３１に接続されると、第１の電池Ｂ１及び第２の電池Ｂ２は、図１を参照しながら前述したように並列接続される。そして、並列接続された第１の電池Ｂ１及び第２の電池Ｂ２から負荷１４への次のような放電経路が形成される。すなわち、第１の電池Ｂ１の一方の極（図１では正極）→第１の電池接続端子ＴＢ１→第１の放電プラグ端子ＴＤＣ１→第１のジャンパ線Ｊ１→第５の放電プラグ端子ＴＤＣ５→第１の負荷接続端子ＴＬ１→負荷１４という充電経路が形成される。そして、負荷１４→第４の電池接続端子ＴＢ４→第４の放電プラグ端子ＴＤＣ４→第２のジャンパ線Ｊ２→第２の放電プラグ端子ＴＤＣ２→第２の電池接続端子ＴＢ２→第１の電池Ｂ１の他方の極（図１では負極）という充電経路が形成される。また、第２の電池Ｂ２の一方の極（図１では正極）→第３の電池接続端子ＴＢ３→第３の放電プラグ端子ＴＤＣ３→第１のジャンパ線Ｊ１→第５の放電プラグ端子ＴＤＣ５→第１の負荷接続端子ＴＬ１→負荷１４→第２の電池Ｂ２の他方の極（図１では負極）という充電経路が形成される。
【００４５】
一方、図３（Ｂ）に示すように、充電プラグ１３が電池パック３１に接続されると、第１の電池Ｂ１及び第２の電池Ｂ２は、図１を参照しながら前述したように直列接続される。そして、図１を参照しながら前述したように、充電器１５から、直列接続された第１の電池Ｂ１及び第２の電池Ｂ２への充電経路が形成される。
【００４６】
また、第１の負荷接続端子ＴＬ１は、充電プラグ１３の何れの端子にも接続されず、開放される。このため、第１の負荷接続端子ＴＬ１と第２の負荷接続端子ＴＬ２とは同電位になる。
【００４７】
このように、図３に示す第３の構成例においても、第１の電池Ｂ１及び第２の電池Ｂ２が負荷１４に放電する場合には、放電プラグ３２が電池パック３１に接続される。この結果、第１の電池Ｂ１及び第２の電池Ｂ２が並列接続され、並列接続された第１の電池Ｂ１及び第２の電池Ｂ２に負荷１４が接続されるように、第１〜第４の電池接続端子ＴＢ１〜ＴＢ４並びに第１及び第２の負荷接続端子ＴＬ１、ＴＬ２の接続関係は変更される。一方、第１の電池Ｂ１及び第２の電池Ｂ２が充電される場合には、充電プラグ１３が電池パック３１に接続される。この結果、第１の電池Ｂ１及び第２の電池Ｂ２が直列接続され、第１の負荷接続端子ＴＬ１と第２の負荷接続端子ＴＬ２とが同電位になるように、第１〜第４の電池接続端子ＴＢ１〜ＴＢ４並びに第１及び第２の負荷接続端子ＴＬ１、ＴＬ２の接続関係は変更される。
【００４８】
したがって、実施形態に従った充放電システムを図３に示す第３の構成例のように構成した場合にも、図１に示す第１の構成例に関して前述したような効果が得られる。
＜第４の構成例＞
例えば、実施形態に従った充放電システムは、図４に示すように構成されてもよい。図４は、実施形態に従った電池パック及び放電プラグを含む充放電システムの第４の構成例を示す図である。図４に示すように、充放電システム４は、電池パック４１、放電プラグ１２、充電プラグ４３、負荷１４、及び充電器１５を含む。電池パック４１は、負荷１４と共に任意の装置（不図示）に搭載される。
【００４９】
図４に示す第４の構成例では、電池パック４１は、電池パック１１（図１）と同様の構成要素に加えて、直並列切り替えスイッチＳＳＰ、制御部ＣＯＮ、第１の検知端子ＴＤ１、及び第２の検知端子ＴＤ２を更に含む。また、充電プラグ４３は、充電プラグ１３（図１）に含まれる第２の充電プラグ端子ＴＣ２及び第３の充電プラグ端子ＴＣ３を含まず、第１の充電プラグ側検知端子ＴＣＤ１、第２の充電プラグ側検知端子ＴＣＤ２、及び第４のジャンパ線Ｊ４を更に含む。
【００５０】
直並列切り替えスイッチＳＳＰは、第１の電池Ｂ１及び第２の電池Ｂ２の接続を直列又は並列に切り替えるためのスイッチである。直並列切り替えスイッチＳＳＰの一端は、第１の電池Ｂ１の他方の極（図４では負極）に接続され、直並列切り替えスイッチＳＳＰの他端は、第２の電池Ｂ２の一方の極（図４では正極）に接続されている。
【００５１】
制御部ＣＯＮは、例えば、ＣＰＵ（Central Processing Unit）、マルチコアＣＰＵ、又はプログラマブルディバイス（ＦＰＧＡ（Field Programmable Gate Array）やＰＬＤ（Programmable Logic Device）等）等により構成される。制御部ＣＯＮは、電池パック４１全体の動作を司る。第４の構成例では、制御部ＣＯＮは、第１の検知端子ＴＤ１へ送信した検知信号が第２の検知端子ＴＤ２から入力したか否かを監視する。なお、検知信号は、電流も含まれる。その場合、制御部ＣＯＮは、第１の検知端子ＴＤ１へ電圧をかけ、第２の検知端子ＴＤ２に電流が流れたか否かを監視し、第２の検知端子ＴＤ２に電流が流れたら、検知信号が第２の検知端子ＴＤ２から入力したと判断する。また、制御部ＣＯＮは、監視結果に従って、直並列切り替えスイッチＳＳＰの開閉を制御する。
【００５２】
具体的には、図４（Ａ）に示すように、電池パック４１が放電プラグ１２に接続された場合、制御部ＣＯＮから第１の検知端子ＴＤ１へ送信された検知信号は、第２の検知端子ＴＤ２から制御部ＣＯＮに入力しない。そこで、制御部ＣＯＮは、直並列切り替えスイッチＳＳＰが開くように制御する。このように、第１の電池Ｂ１及び第２の電池Ｂ２が負荷１４に放電する場合には、直並列切り替えスイッチＳＳＰは開く。電池パック４１が放電プラグ１２に接続された場合に、直並列切り替えスイッチＳＳＰが開くと、図１（Ａ）を参照しながら前述したように、第１の電池Ｂ１及び第２の電池Ｂ２は並列接続される。
【００５３】
一方、図４（Ｂ）に示すように、電池パック４１が充電プラグ４３に接続された場合、制御部ＣＯＮから第１の検知端子ＴＤ１へ送信された検知信号は、次のような経路を通じて第２の検知端子ＴＤ２から制御部ＣＯＮに入力する。すなわち、制御部ＣＯＮ→第１の検知端子ＴＤ１→第１の充電プラグ側検知端子ＴＣＤ１→第４のジャンパ線Ｊ４→第２の充電プラグ側検知端子ＴＣＤ２→第２の検知端子ＴＤ２という経路を通じて、検知信号は制御部ＣＯＮに入力する。そこで、制御部ＣＯＮは、直並列切り替えスイッチＳＳＰが閉じるように制御する。このように、第１の電池Ｂ１及び第２の電池Ｂ２が充電される場合には、直並列切り替えスイッチＳＳＰは閉じる。電池パック４１が充電プラグ４３に接続された場合に、直並列切り替えスイッチＳＳＰが閉じると、第１の電池Ｂ１及び第２の電池Ｂ２は直列に接続され、次のような充電経路が形成される。すなわち、充電器１５→第１の充電プラグ端子ＴＣ１→第１の電池接続端子ＴＢ１→第１の電池Ｂ１の一方の極（図４では正極）という充電経路が形成される。また、第１の電池Ｂ１の他方の極（図４では負極）→直並列切り替えスイッチＳＳＰ→第２の電池Ｂ２の一方の極（図４では正極）という充電経路が形成される。さらに、第２の電池Ｂ２の他方の極（図４では負極）→第４の電池接続端子ＴＢ４→第４の充電プラグ端子ＴＣ４→充電器１５という充電経路が形成される。なお、第２の電池接続端子ＴＢ２及び第３の電池接続端子ＴＢ２は開放されているため、第１の負荷接続端子ＴＬ１と第２の負荷接続端子ＴＬ２とは同電位になる。
【００５４】
したがって、実施形態に従った充放電システムを図４に示す第４の構成例のように構成した場合にも、図１に示す第１の構成例に関して前述したような効果が得られる。
また、充電プラグ４３は、第１の電池Ｂ１及び第２の電池Ｂ２の接続を直列に切り替えるために、第２の充電プラグ端子ＴＣ２及び第３の充電プラグ端子ＴＣ３を備えなくてもよい。したがって、実施形態に従った充放電システムを図４に示す第４の構成例のように構成した場合には、既存の充電プラグを用いて、並列接続された複数の二次電池を直列接続に切り替えることができる。
【００５５】
さらに、制御部ＣＯＮから送信された検知信号が制御部ＣＯＮに入力しない場合には、直並列切り替えスイッチＳＳＰが開き、第１の電池Ｂ１及び第２の電池Ｂ２は並列接続される。このため、第１の電池Ｂ１及び第２の電池Ｂ２は直列接続された場合と比較して、第１の電池接続端子ＴＢ１及び第４の電池接続端子ＴＢ４からの電圧は低圧になる。したがって、第４の構成例によれば、充電プラグ４３及び放電プラグ１２が接続されず、第１の電池接続端子ＴＢ１及び第４の電池接続端子ＴＢ４が露出している状態においてもユーザの安全性を確保できる。
【００５６】
そして、直並列切り替えスイッチＳＳＰは充電経路上にはある。そこで、例えば、過電圧や過電流といった異常が充電器１５による充電中に発生した場合には、制御部ＣＯＮが直並列切り替えスイッチＳＳＰを開くように制御することで、充電経路を分断し、第１の電池Ｂ１及び第２の電池Ｂ２の故障を防止することができる。一方、直並列切り替えスイッチＳＳＰは放電経路上にはない。そこで、第１の電池Ｂ１及び第２の電池Ｂ２から負荷１４への放電時には、直並列切り替えスイッチＳＳＰを閉じるための電力を要することもない。
【００５７】
なお、第４の構成例は、図４を示して上述したように第１の構成例と組み合わせるだけでなく、第２の構成例又は第３の構成例と組み合わせることも可能である。
＜第５の構成例＞
例えば、実施形態に従った充放電システムは、図５に示すように構成されてもよい。図５は、実施形態に従った電池パック及び放電プラグを含む充放電システムの第５の構成例を示す図である。図５に示すように、充放電システム５は、電池パック５１、放電プラグ５２、充電プラグ１３、負荷１４、及び充電器１５を含む。電池パック５１は、負荷１４と共に任意の装置（不図示）に搭載される。
【００５８】
図５に示す第５の構成例では、電池パック５１は、電池パック１１（図１）と同様の構成要素に加えて、第１のスイッチＳ１、第２のスイッチＳ２、制御部ＣＯＮ、第３の検知端子ＴＤ３、及び第４の検知端子ＴＤ４を含む。また、放電プラグ５２は、放電プラグ１２（図１）と同様の構成要素に加えて、第１の放電プラグ側検知端子ＴＤＤ１、第２の放電プラグ側検知端子ＴＤＤ２、及び第５のジャンパ線Ｊ５を含む。
【００５９】
第１のスイッチＳ１及び第２のスイッチＳ２は、並列接続された第１の電池Ｂ１及び第２の電池Ｂ２の電位差から生じる還流電流に起因して、電池パック５１の各端子と放電プラグ５２の各端子との間でアークが飛ぶことを防止するために設けられる。図５に示した一例では、第１のスイッチＳ１は、第１の電池Ｂ１の一方の極と第１の電池接続端子ＴＢ１との間の電力線に設けられ、第２のスイッチＳ２は、第２の電池Ｂ２の他方の極と第４の電池接続端子ＴＢ４との間の電力線に設けられている。なお、第１のスイッチＳ１は、第１の電池Ｂ１の他方の極と第２の電池接続端子ＴＢ２との間の電力線に設けられてもよく、第２のスイッチＳ２は、第２の電池Ｂ２の一方の極と第３の電池接続端子ＴＢ３との間の電力線に設けられてもよい。
【００６０】
参照符号から明らかなとおり、第３の検知端子ＴＤ３及び第４の検知端子ＴＤ４は、第１の検知端子ＴＤ１及び第２の検知端子ＴＤ２（図４）とは別に設けられ得る端子である。図６は、第５の構成例における電池パック及び放電プラグの各端子の接続順序の説明図である。図６に示す一例では、第１〜第４の電池接続端子ＴＢ１〜ＴＢ４が対応する第１〜第４の放電プラグ端子ＴＤＣ１〜ＴＤＣ４に夫々接続される位置と、第３の検知端子ＴＤ３及び第４の検知端子ＴＤ４が対応する第１の放電プラグ側検知端子ＴＤＤ１及び第２の放電プラグ側検知端子ＴＤＤ２に夫々接続される位置とは異なっている。
【００６１】
図５（Ａ）に示すように放電プラグ５２が電池パック５１に接続される場合、図６に示す（Ａ）→（Ｂ）→（Ｃ）の順序で、電池パック５１の各端子は放電プラグ５２の各端子に接続されるように構成される。すなわち、まず、第１〜第４の電池接続端子ＴＢ１〜ＴＢ４が、対応する第１〜第４の放電プラグ端子ＴＤＣ１〜ＴＤＣ４に夫々接続される（図６（Ｂ））。その後、第３の検知端子ＴＤ３及び第４の検知端子ＴＤ４が、対応する第１の放電プラグ側検知端子ＴＤＤ１及び第２の放電プラグ側検知端子ＴＤＤ２に夫々接続される（図６（Ｃ））。
【００６２】
一方、放電プラグ５２が電池パック５１から外される場合、図６に示す（Ｃ）→（Ｂ）→（Ａ）の順序で、電池パック５１の各端子は対応する放電プラグ５２の各端子から夫々外されるように構成される。すなわち、まず、第３の検知端子ＴＤ３及び第４の検知端子ＴＤ４が、対応する第１の放電プラグ側検知端子ＴＤＤ１及び第２の放電プラグ側検知端子ＴＤＤ２から夫々外される（図６（Ｂ））。その後、第１〜第４の電池接続端子ＴＢ１〜ＴＢ４が、対応する第１〜第４の放電プラグ端子ＴＤＣ１〜ＴＤＣ４から夫々外される（図６（Ａ））。
【００６３】
第５の構成例では、制御部ＣＯＮは、第３の検知端子ＴＤ３へ送信した検知信号が第４の検知端子ＴＤ４から入力したか否かを監視する。なお、検知信号は、電流も含まれる。その場合、制御部ＣＯＮは、第３の検知端子ＴＤ３へ電圧をかけ、第４の検知端子ＴＤ４に電流が流れたか否かを監視し、第４の検知端子ＴＤ４に電流が流れたら、検知信号が第４の検知端子ＴＤ４から入力したと判断する。また、制御部ＣＯＮは、監視結果に従って、第１のスイッチＳ１及び第２のスイッチＳ２の開閉を制御する。
【００６４】
具体的には、電池パック４１が放電プラグ１２に接続される場合、まず、第１〜第４の電池接続端子ＴＢ１〜ＴＢ４が第１〜第４の放電プラグ端子ＴＤＣ１〜ＴＤＣ４に接続される。その後、第３の検知端子ＴＤ３及び第４の検知端子ＴＤ４は、第１の放電プラグ側検知端子ＴＤＤ１及び第２の放電プラグ側検知端子ＴＤＤ２に接続される。その結果、制御部ＣＯＮから第３の検知端子ＴＤ３へ送信された検知信号は、次のような経路を通じて第４の検知端子ＴＤ４から制御部ＣＯＮに入力する。すなわち、制御部ＣＯＮ→第３の検知端子ＴＤ３→第１の放電プラグ側検知端子ＴＤＤ１→第５のジャンパ線Ｊ５→第２の放電プラグ側検知端子ＴＤＤ２→第４の検知端子ＴＤ４という経路を通じて、検知信号は制御部ＣＯＮに入力する。そこで、制御部ＣＯＮは、第１のスイッチＳ１及び第２のスイッチＳ２が閉じるように制御する。この結果、図１（Ａ）に示した第１の構成例と同様に、第１の電池Ｂ１及び第２の電池Ｂ２が並列接続された放電経路が形成される。
【００６５】
このように、第１〜第４の電池接続端子ＴＢ１〜ＴＢ４が第１〜第４の放電プラグ端子ＴＤＣ１〜ＴＤＣ４に接続された後に第１のスイッチＳ１及び第２のスイッチＳ２は閉じられ、第１の電池Ｂ１及び第２の電池Ｂ２が並列接続された放電経路が形成される。したがって、第１の電池Ｂ１及び第２の電池Ｂ２の電位差があったとしても第１〜第４の電池接続端子ＴＢ１〜ＴＢ４が第１〜第４の放電プラグ端子ＴＤＣ１〜ＴＤＣ４に接続されるときに還流電流は流れないため、電池パック５１の各端子と放電プラグ５２の各端子との間でアークが飛ぶことを防止できる。また、アークによって各端子の表面に凹凸ができ、端子間の勘合が悪化することも防止できる。
【００６６】
一方、放電プラグ５２が電池パック５１から外される場合、まず、第３の検知端子ＴＤ３及び第４の検知端子ＴＤ４が第１の放電プラグ側検知端子ＴＤＤ１及び第２の放電プラグ側検知端子ＴＤＤ２から外される。その結果、制御部ＣＯＮから第３の検知端子ＴＤ３へ送信された検知信号は、第４の検知端子ＴＤ４から制御部ＣＯＮに入力しない。そこで、制御部ＣＯＮは、第１のスイッチＳ１及び第２のスイッチＳ２が開くように制御する。第１のスイッチＳ１及び第２のスイッチＳ２が開くと、形成されていた上述の放電経路は切断される。その後、第１〜第４の電池接続端子ＴＢ１〜ＴＢ４が第１〜第４の放電プラグ端子ＴＤＣ１〜ＴＤＣ４から外される。
【００６７】
このように、第１〜第４の電池接続端子ＴＢ１〜ＴＢ４が第１〜第４の放電プラグ端子ＴＤＣ１〜ＴＤＣ４から外される前に第１のスイッチＳ１及び第２のスイッチＳ２は開き、第１の電池Ｂ１及び第２の電池Ｂ２が並列接続された放電経路は切断される。したがって、第１の電池Ｂ１及び第２の電池Ｂ２の電位差があったとしても第１〜第４の電池接続端子ＴＢ１〜ＴＢ４が第１〜第４の放電プラグ端子ＴＤＣ１〜ＴＤＣ４から外されるときに還流電流は流れないため、電池パック５１の各端子と放電プラグ５２の各端子との間でアークが飛ぶことを防止できる。また、アークによって各端子の表面に凹凸ができ、端子間の勘合が悪化することも防止できる。
【００６８】
また、図５（Ｂ）に示すように充電プラグ１３が電池パック５１に接続された場合には、制御部ＣＯＮは、第１のスイッチＳ１及び第２のスイッチＳ２が閉じるように制御する。この結果、図１（Ｂ）に示した第１の構成例と同様に第１の電池Ｂ１及び第２の電池Ｂ２は直列接続され、図１（Ｂ）に示した構成例と同様の充電経路が形成される。なお、充電プラグ１３と電池パック５１との接続検知は、例えば、図４に示したような接続検知信号を用いた構成によって実現してもよい。
【００６９】
したがって、実施形態に従った充放電システムを図５に示す第５の構成例のように構成した場合にも、図１に示す第１の構成例に関して前述したような効果が得られる。
なお、第５の構成例は、図５を示して上述したように第１の構成例と組み合わせるだけでなく、第２〜第４の構成例の何れかと組み合わせることも可能である。
＜第６の構成例＞
第１の構成例において前述したように、第１の電池Ｂ１及び第２の電池Ｂ２は夫々、例えば、リチウムイオン電池又は鉛蓄電池といった１つ以上の二次電池セルである。第１の電池Ｂ１及び第２の電池Ｂ２が夫々複数の電池セルを含む場合、実施形態に従った電池パックは、例えば、図７に示すように構成されてもよい。図７は、実施形態に従った電池パック及び放電プラグを含む充放電システムの第６の構成例を示す図である。図７に示すように、充放電システム６は、電池パック６１、放電プラグ１２、充電プラグ１３、負荷１４、及び充電器１５を含む。電池パック６１は、負荷１４と共に任意の装置（不図示）に搭載される。
【００７０】
図７に示す一例では、第１の電池Ｂ１及び第２の電池Ｂ２は、直列接続された２つの電池セルＢＣの２つ組が並列に夫々接続されている。なお、図７に示す一例に限らず、直列及び／又は並列接続される電池セルＢＣの数は任意であってよい。また並列接続が増えた場合には増えた電流経路を遮断できるスイッチを任意に追加しても良い。
【００７１】
実施形態に従った充放電システムを図５に示す第６の構成例のように構成した場合にも、図１に示す第１の構成例に関して前述したような効果が得られる。また、実施形態に従った充放電システムを図５に示す第６の構成例のように構成した場合には、負荷の消費電力に応じた容量を有する電池パックを実現することができる。
【００７２】
なお、第６の構成例は、図７を示して上述したように第１の構成例と組み合わせるだけでなく、第２〜第５の構成例の何れかと組み合わせることも可能である。
＜第７の構成例＞
図１〜図７に示す構成例では、並列又は直列に接続関係が変更される２つの二次電池（第１の電池Ｂ１及び第２の電池Ｂ２）が電池パックに含まれているが、並列又は直列に接続関係が変更される３つ以上の二次電池が電池パックに含まれてもよい。電池パックに含まれる電池接続端子及び負荷接続端子の夫々の数は、並列又は直列に接続関係が変更される二次電池の数に応じて変更されてよい。また、放電プラグに含まれる放電プラグ端子の数や、ジャンパ線の数及び構成は、並列又は直列に接続関係が変更される二次電池の数に応じて変更されてよい。
【００７３】
図８は、実施形態に従った電池パック及び放電プラグを含む充放電システムの第６の構成例を示す図である。図８に示す一例では、実施形態に従った電池パックは３つの二次電池を含む。図８に示すように、充放電システム７は、電池パック７１、放電プラグ７２、充電プラグ７３、負荷１４、及び充電器１５を含む。電池パック７１は、負荷１４と共に任意の装置（不図示）に搭載される。
【００７４】
電池パック７１は、電池パック１１（図１）と同様の構成要素に加えて、第３の電池Ｂ３、第５の電池接続端子ＴＢ５、及び第６の電池接続端子ＴＢ６を含む。第５の電池接続端子ＴＢ５は、第３の電池Ｂ３の一方の極（図８では、正極端子）に接続されている。第６の電池接続端子ＴＢ６は、第３の電池Ｂ３の他方の極（図８では、負極端子）に接続されている。
【００７５】
放電プラグ７２は、放電プラグ１２（図１）と同様の構成要素に加えて、第７の放電プラグ端子ＴＤＣ７及び第８の放電プラグ端子ＴＤＣ８を含む。放電プラグ７２が電池パック７１に接続された場合、第７の放電プラグ端子ＴＤＣ７は第５の電池接続端子ＴＢ５に接続され、第８の放電プラグ端子ＴＤＣ８は第６の電池接続端子ＴＢ６に接続される。第１のジャンパ線Ｊ１は、第１の放電プラグ端子ＴＤＣ１と第３の放電プラグ端子ＴＤＣ３と第７の放電プラグ端子ＴＤＣ７とを接続する。また、第２のジャンパ線Ｊ２は、第２の放電プラグ端子ＴＤＣ２と第４の放電プラグ端子ＴＤＣ４と第８の放電プラグ端子ＴＤＣ８とを接続する。
【００７６】
充電プラグ７３は、充電プラグ１３（図１）と同様の構成要素に加えて、第５の充電プラグ端子ＴＣ５、第６の充電プラグ端子ＴＣ６、及び第６のジャンパ線Ｊ６を含む。また、充電プラグ７３では、充電器１５側の他方の極（図８では負極）の接続端子は、第６の充電プラグ端子ＴＣ６である。第６のジャンパ線Ｊ６は、第４の充電プラグ端子ＴＣ４と第５の充電プラグ端子ＴＣ５とを接続する。充電プラグ７３が電池パック７１に接続された場合、第５の充電プラグ端子ＴＣ５は第５の電池接続端子ＴＢ５に接続され、第６の充電プラグ端子ＴＣ６は第６の電池接続端子ＴＢ６に接続される。
【００７７】
上述したような充放電システム７において、第１〜第３の電池Ｂ１〜Ｂ３から負荷１４への放電経路と、充電器１５から第１〜第３の電池Ｂ１〜Ｂ３への充電経路とは、放電プラグ７２及び充電プラグ７３を用いて切り替えられる。
【００７８】
具体的には、図８（Ａ）に示すように、放電プラグ７２が電池パック７１に接続されると、第１〜第３の電池Ｂ１〜Ｂ３は並列接続される。すなわち、第１〜第３の電池Ｂ１〜Ｂ３の夫々の一方の極（図８では正極）は、第１、第３、及び第５の電池接続端子ＴＢ１、ＴＢ３、ＴＢ５と、第１、第３、及び第７の放電プラグ端子ＴＤＣ１、ＴＤＣ３、ＴＤＣ７と、第１のジャンパ線Ｊ１とを介して相互に接続される。また、第１〜第３の電池Ｂ１〜Ｂ３の夫々の他方の極（図８では負極）は、第２、第４、及び第６の電池接続端子ＴＢ２、ＴＢ４、ＴＢ６と、第２、第４、及び第８の放電プラグ端子ＴＤＣ２、ＴＤＣ４、ＴＤＣ８と、第２のジャンパ線Ｊ２とを介して相互に接続される。
【００７９】
そして、並列接続された第１〜第３の電池Ｂ１〜Ｂ３から負荷１４への次のような放電経路が形成される。すなわち、第１の電池Ｂ１の一方の極（図８では正極）→第１の電池接続端子ＴＢ１→第１の放電プラグ端子ＴＤＣ１→第１のジャンパ線Ｊ１→第３の放電プラグ端子ＴＤＣ３→第３の電池接続端子ＴＢ３→負荷１４→第１の電池Ｂ１の他方の極（図８では負極）という充電経路が形成される。また、第２の電池Ｂ２の一方の極（図８では正極）→負荷１４→第２の電池接続端子ＴＢ２→第２の放電プラグ端子ＴＤＣ２→第２のジャンパ線Ｊ２→第４の放電プラグ端子ＴＤＣ４→第４の電池接続端子ＴＢ４→第２の電池Ｂ２の他方の極（図８では負極）という充電経路が形成される。さらに、第３の電池Ｂ３の一方の極（図８では正極）→第５の電池接続端子ＴＢ５→第７の放電プラグ端子ＴＤＣ７→第１のジャンパ線Ｊ１→第３の放電プラグ端子ＴＤＣ３→第３の電池接続端子ＴＢ３→負荷１４→→第２の電池接続端子ＴＢ２→第２の放電プラグ端子ＴＤＣ２→第２のジャンパ線Ｊ２→第８の放電プラグ端子ＴＤＣ８→第６の電池接続端子ＴＢ６→第３の電池Ｂ３の他方の極（図８では負極）という充電経路が形成される。
【００８０】
一方、図８（Ｂ）に示すように、充電プラグ７３が電池パック７１に接続されると、第１〜第３の電池Ｂ１〜Ｂ３は直列接続される。すなわち、第１の電池Ｂ１の他方の極（図８では負極）と第２の電池Ｂ２の一方の極（図８では正極）とは、第２の電池接続端子ＴＢ２、第２の充電プラグ端子ＴＣ２、第３のジャンパ線Ｊ３、第３の充電プラグ端子ＴＣ３、及び第３の電池接続端子ＴＢ３を介して相互に接続される。また、第２の電池Ｂ２の他方の極（図８では負極）と第３の電池Ｂ３の一方の極（図８では正極）とは、第４の電池接続端子ＴＢ４、第４の充電プラグ端子ＴＣ４、第６のジャンパ線Ｊ６、第５の充電プラグ端子ＴＣ５、及び第５の電池接続端子ＴＢ５を介して相互に接続される。
【００８１】
また、第２の負荷接続端子ＴＬ２を兼ね備える第２の電池接続端子ＴＢ２と、第１の負荷接続端子ＴＬ１を兼ね備える第３の電池接続端子ＴＢ３とは、第２の充電プラグ端子ＴＣ２、第３のジャンパ線Ｊ３、及び第３の充電プラグ端子ＴＣ３を介して相互に接続される。このため、第１の負荷接続端子ＴＬ１と第２の負荷接続端子ＴＬ２とは同電位になる。
【００８２】
そして、充電器１５から、直列接続された第１〜第３の電池Ｂ１〜Ｂ３への次のような充電経路が形成される。すなわち、充電器１５→第１の充電プラグ端子ＴＣ１→第１の電池接続端子ＴＢ１→第１の電池Ｂ１の一方の極（図８では正極）という充電経路が形成される。また、第１の電池Ｂ１の他方の極（図８では負極）→第２の電池接続端子ＴＢ２→第２の充電プラグ端子ＴＣ２→第３のジャンパ線Ｊ３→第３の充電プラグ端子ＴＣ３→第３の電池接続端子ＴＢ３→第２の電池Ｂ２の一方の極（図８では正極）という充電経路が形成される。さらに、第２の電池Ｂ２の他方の極（図８では負極）→第４の電池接続端子ＴＢ４→第４の充電プラグ端子ＴＣ４→第６のジャンパ線Ｊ６→第５の充電プラグ端子ＴＣ５→第５の電池接続端子ＴＢ５→第３の電池Ｂ３の一方の極（図８では正極）という充電経路が形成される。また、第３の電池Ｂ３の他方の極（図８では負極）→第６の電池接続端子ＴＢ６→第６の充電プラグ端子ＴＣ６→充電器１５という充電経路が形成される。
【００８３】
このように、第１〜第３の電池Ｂ１〜Ｂ３が負荷１４に放電する場合には、放電プラグ７２が電池パック７１に接続される。この結果、第１〜第３の電池Ｂ１〜Ｂ３が並列接続され、並列接続された第１〜第３の電池Ｂ１〜Ｂ３に負荷１４が接続されるように、第１〜第６の電池接続端子ＴＢ１〜ＴＢ６並びに第１及び第２の負荷接続端子ＴＬ１、ＴＬ２の接続関係は変更される。
【００８４】
一方、第１〜第３の電池Ｂ１〜Ｂ３が充電される場合には、充電プラグ７３が電池パック７１に接続される。この結果、第１〜第３の電池Ｂ１〜Ｂ３が直列接続され、第１の負荷接続端子ＴＬ１と第２の負荷接続端子ＴＬ２とが同電位になるように、第１〜第６の電池接続端子ＴＢ１〜ＴＢ６並びに第１及び第２の負荷接続端子ＴＬ１、ＴＬ２の接続関係は変更される。
【００８５】
したがって、第７の構成例のように、並列又は直列に接続関係が変更される３つ以上の二次電池が電池パックに含まれる場合であっても、図１〜図７に示した構成例から得られる効果と同様の効果が得られる。
【符号の説明】
【００８６】
１、２、３、４、５、６、７    充放電システム
１１、２１、３１、４１、５１、６１、７１    電池パック
１２、２２、３２、５２、７２    放電プラグ
１３、４３、７３    充電プラグ
１４    負荷
１５    充電器
Ｂ１    第１の電池
Ｂ２    第２の電池
Ｂ３    第３の電池
ＢＣ    電池セル
ＣＯＮ    制御部
Ｊ１    第１のジャンパ線
Ｊ２    第２のジャンパ線
Ｊ３    第３のジャンパ線
Ｊ４    第４のジャンパ線
Ｊ５    第５のジャンパ線
Ｊ６    第６のジャンパ線
ＴＢ１    第１の電池接続端子
ＴＢ２    第２の電池接続端子
ＴＢ３    第３の電池接続端子
ＴＢ４    第４の電池接続端子
ＴＢ５    第５の電池接続端子
ＴＢ６    第６の電池接続端子
ＴＣ１    第１の充電プラグ端子
ＴＣ２    第２の充電プラグ端子
ＴＣ３    第３の充電プラグ端子
ＴＣ４    第４の充電プラグ端子
ＴＣ５    第５の充電プラグ端子
ＴＣ６    第６の充電プラグ端子
ＴＤ１    第１の検知端子
ＴＤ２    第２の検知端子
ＴＤ３    第３の検知端子
ＴＤ４    第４の検知端子
ＴＣＤ１    第１の充電プラグ側検知端子
ＴＣＤ２    第２の充電プラグ側検知端子
ＴＤＣ１    第１の放電プラグ端子
ＴＤＣ２    第２の放電プラグ端子
ＴＤＣ３    第３の放電プラグ端子
ＴＤＣ４    第４の放電プラグ端子
ＴＤＣ５    第５の放電プラグ端子
ＴＤＣ６    第６の放電プラグ端子
ＴＤＣ７    第７の放電プラグ端子
ＴＤＣ８    第８の放電プラグ端子
ＴＤＤ１    第１の放電プラグ側検知端子
ＴＤＤ２    第２の放電プラグ側検知端子
ＴＬ１    第１の負荷接続端子
ＴＬ２    第２の負荷接続端子
Ｓ１    第１のスイッチ
Ｓ２    第２のスイッチ
ＳＳＰ    直並列切り替えスイッチ
【図１】
2018037392.tif 000003
【図２】
2018037392.tif 000004
【図３】
2018037392.tif 000005
【図４】
2018037392.tif 000006
【図５】
2018037392.tif 000007
【図６】
2018037392.tif 000008
【図７】
2018037392.tif 000009
【図８】
2018037392.tif 000010